(57)【要約】【課題】複数の太陽電池との間を接続する接続端子、または、太陽電池の一側に形成された電極の途切れの発生を防止する携帯用薄膜太陽電池パネルおよびその製造方法を提供する。【解決手段】本発明は、携帯用薄膜太陽電池パネルおよびその製造方法を開示する。即ち、本発明は、長さ方向に接続された複数の太陽電池セルの一側に各々形成された複数の電極の上に導電性メッシュの形態の電極を形成して、前記複数の太陽電池と前記導電性メッシュの形態の電極との上部および下部に防水生地を各々形成して、前記複数の防水生地と前記太陽電池セルとの一側に形成された電極と前記導電性メッシュの形態の電極とを貫通するように導電糸を用いて縫製作業を介して接合構成し、前記導電糸が形成された上部、下部および側面に追加で防水生地を形成した後、ミシン糸を用いて接合構成する。【選択図】図１
2019197883.tif 000002
【特許請求の範囲】
【請求項１】
携帯用薄膜太陽電池パネルにおいて、
第１防水層と；
前記第１防水層の上部に長さ方向に一列に配置される複数の太陽電池モジュールと；
前記複数の太陽電池モジュールの両側に各々形成された同一の極性の電極の上部に各々配置される導電性メッシュの形態の電極；および
前記導電性メッシュの形態の電極と前記複数の太陽電池モジュールとの上部に配置される第２防水層とを含み、
前記導電性メッシュの形態の電極と前記複数の太陽電池モジュールとに各々形成された同一の極性の複数の電極は、導電糸を介して接合構成されて電気的に接続される
ことを特徴とする携帯用薄膜太陽電池パネル。
【請求項２】
前記第１防水層の一部と、前記第２防水層の一部および前記導電糸とを包むように配置する第３防水層をさらに含み、
前記第１防水層と前記第２防水層とは、前記第１防水層の側面と前記第２防水層の側面とに接するように、ミシン糸を介して接合構成される
ことを特徴とする請求項１に記載の携帯用薄膜太陽電池パネル。
【請求項３】
前記導電糸が外部に露出されないように、前記第１防水層の上部と前記第３防水層の下部とが接触する領域および前記第２防水層の下部と前記第３防水層の下部とが接触する領域は、接着剤を用いて接着する
ことを特徴とする請求項２に記載の携帯用薄膜太陽電池パネル。
【請求項４】
携帯用薄膜太陽電池パネルの製造方法において、
第１防水層の上部に複数の太陽電池モジュールを配置する段階と；
前記複数の太陽電池モジュールの両側に各々形成された同一の極性の電極の上部に導電性メッシュの形態の電極を各々配置する段階と；
前記導電性メッシュの形態の電極と前記複数の太陽電池モジュールの上部に第２防水層を配置する段階；および
前記導電性メッシュの形態の電極と前記複数の太陽電池モジュールとに各々形成された同一の極性の複数の電極が電気的に接続されるように、導電糸を用いて縫製作業を介して接合構成する段階とを含む
携帯用薄膜太陽電池パネルの製造方法。
【請求項５】
前記導電性メッシュの形態の電極を各々配置する段階は、
前記複数の太陽電池モジュールの一側に形成された（＋）極性の複数の電極の上部に一つの導電性メッシュの形態の電極を配置するプロセス；および
前記複数の太陽電池モジュールの他の一側に形成された（−）極性の複数の電極の上部に他の一つの導電性メッシュの形態の電極を配置するプロセスを含む
ことを特徴とする請求項４に記載の携帯用薄膜太陽電池パネルの製造方法。
【請求項６】
前記第１防水層の一部と、前記第２防水層の一部および前記導電糸とを包むように第３防水層を配置する段階；および
前記第１防水層の側面と前記第２防水層の側面に接するように、ミシン糸を用いて縫製作業を介して接合構成する段階をさらに含む
ことを特徴とする請求項４に記載の携帯用薄膜太陽電池パネルの製造方法。
【発明の詳細な説明】
【技術分野】
【０００１】
本発明は、携帯用薄膜太陽電池パネルおよびその製造方法に関する。特に、長さ方向に接続された複数の太陽電池セルの一側に各々形成された複数の電極の上に導電性メッシュの形態の電極を形成して、前記複数の太陽電池と前記導電性メッシュの形態の電極との上部および下部に防水生地を各々形成して、前記複数の防水生地と前記太陽電池セルとの一側に形成された電極と前記導電性メッシュの形態の電極とを貫通するように、導電糸を用いて縫製作業を介して接合構成し、前記導電糸が形成された上部、下部および側面に追加で防水生地を形成した後、ミシン糸を用いて接合構成する携帯用薄膜太陽電池パネルおよびその製造方法に関する。
【０００２】
＜課題情報＞
課題固有番号:20163030013760
部処名：産業通商資源部
研究管理専門機関：韓国エネルギー技術評価院
研究事業名：エネルギー技術開発事業
研究課題名：フレキシブルCIGS薄膜太陽電池を利用した生活密着型電源の開発(Development of daily-life oriented power sources by using flexible CIGS thin-film solar cells)
寄与率：1/1
主管機関：クァンミョン  エレクトリック  エンジニアリング  カンパニーリミテッド
研究期間：2016.05.01〜2019.04.30
【背景技術】
【０００３】
太陽電池は、太陽の光エネルギーを電気エネルギーに変換する装置であって、太陽電池からなる一つのセルを最小単位として複数のセルが組み立てられたモジュールを形成し、複数のモジュールが組み立てられたアレイを構成するように設置されて、太陽光発電システムで形成される。また、前記太陽電池は、必要によって直列、または、並列に接続されることができる。
【０００４】
前記太陽電池を用いる太陽光発電システムは、大気汚染および騒音が発生せず、環境にやさしくて、太陽の光エネルギーを用いるため、エネルギー源が無限で、枯渇のおそれがないというメリットがあって、系統連系型発電システムを含めて、住宅、ビルディングなどの独立型発電システムで用いられていて、人工衛星、車、電気製品、軍用などの様々な分野で適用されている。
【０００５】
また、複数の太陽電池が直列、または、並列に接続されて用いられる場合、複数の太陽電池との間を接続する接続端子、または、太陽電池の一側に形成された電極の途切れが発生する問題がある。
【先行技術文献】
【特許文献】
【０００６】
【特許文献１】韓国登録特許第１０−１２５６６４８号公報［名称:太陽電池モジュールを備えるパネルおよびそれを用いる建築物外装材］
【発明の概要】
【発明が解決しようとする課題】
【０００７】
本発明の目的は、長さ方向に接続された複数の太陽電池セルの一側に各々形成された複数の電極の上に導電性メッシュの形態の電極を形成して、前記複数の太陽電池と前記導電性メッシュの形態の電極との上部および下部に防水生地を各々形成して、前記複数の防水生地と前記太陽電池セルとの一側に形成された電極と前記導電性メッシュの形態の電極とを貫通するように導電糸を用いて縫製作業を介して接合構成し、前記導電糸が形成された上部、下部および側面に追加で防水生地を形成した後、ミシン糸を用いて接合構成する携帯用薄膜太陽電池パネルおよびその製造方法を提供することにある。
【課題を解決するための手段】
【０００８】
本発明の実施例による携帯用薄膜太陽電池パネルは、携帯用薄膜太陽電池パネルにおいて、第１防水層と；前記第１防水層の上部に長さ方向に一列に配置される複数の太陽電池モジュールと；前記複数の太陽電池モジュールの両側に各々形成された同一の極性の電極の上部に各々配置される導電性メッシュの形態の電極；および前記導電性メッシュの形態の電極と前記複数の太陽電池モジュールとの上部に配置される第２防水層とを含み、前記導電性メッシュの形態の電極と前記複数の太陽電池モジュールとに各々形成された同一の極性の複数の電極は、導電糸を介して接合構成されて電気的に接続されることができる。
【０００９】
本発明に関する一例として、前記第１防水層の一部と、前記第２防水層の一部および前記導電糸とを包むように配置する第３防水層をさらに含み、前記第１防水層と前記第２防水層とは、前記第１防水層の側面と前記第２防水層の側面に接するように、ミシン糸を介して接合構成されることができる。
【００１０】
本発明に関する一例として、前記導電糸が外部に露出されないように、前記第１防水層の上部と前記第３防水層の下部とが接触する領域および前記第２防水層の下部と前記第３防水層の下部とが接触する領域は、接着剤を用いて接着することができる。
【００１１】
本発明の実施例による携帯用薄膜太陽電池パネルの製造方法は、携帯用薄膜太陽電池パネルの製造方法において、第１防水層の上部に複数の太陽電池モジュールを配置する段階と；前記複数の太陽電池モジュールの両側に各々形成された同一の極性の電極の上部に導電性メッシュの形態の電極を各々配置する段階と；前記導電性メッシュの形態の電極と前記複数の太陽電池モジュールとの上部に第２防水層を配置する段階；および前記導電性メッシュの形態の電極と前記複数の太陽電池モジュールとに各々形成された同一の極性の複数の電極が電気的に接続されるように、導電糸を用いて縫製作業を介して接合構成する段階とを含むことができる。
【００１２】
本発明に関する一例として、前記導電性メッシュの形態の電極を各々配置する段階は、前記複数の太陽電池モジュールの一側に形成された（＋）極性の複数の電極の上部に一つの導電性メッシュの形態の電極を配置するプロセス；および前記複数の太陽電池モジュールの他の一側に形成された（−）極性の複数の電極の上部に他の一つの導電性メッシュの形態の電極を配置するプロセスを含むことができる。
【００１３】
本発明に関する一例として、前記第１防水層の一部と、前記第２防水層の一部および前記導電糸とを包むように第３防水層を配置する段階；および前記第１防水層の側面と前記第２防水層の側面とに接するように、ミシン糸を用いて縫製作業を介して接合構成する段階とをさらに含むことができる。
【発明の効果】
【００１４】
本発明は、長さ方向に接続された複数の太陽電池セルの一側に各々形成された複数の電極の上に導電性メッシュの形態の電極を形成して、前記複数の太陽電池と前記導電性メッシュの形態の電極の上部および下部に防水生地を各々形成して、前記複数の防水生地と前記太陽電池セルの一側に形成された電極と前記導電性メッシュの形態の電極を貫通するように、導電糸を用いて縫製作業を介して接合構成し、前記導電糸が形成された上部、下部および側面に追加で防水生地を形成した後、ミシン糸を用いて接合構成することによって、複数の太陽電池との間を接続する接続端子、または、太陽電池の一側に形成された電極の途切れの発生を防止し、電極の安定的な固定ができるようにし、導電性メッシュの形態の電極の利用による曲げ強さを高めることができて、追加で側面に防水生地を重ねて当てて返し縫いをすることによって、側面における安定性を高める効果がある。
【図面の簡単な説明】
【００１５】
【図１】本発明の実施例による携帯用薄膜太陽電池パネルの斜視図である。
【図２】本発明の実施例による携帯用薄膜太陽電池パネルのＡ−Ａ´線に沿って取った断面図である。
【図３】本発明の実施例による携帯用薄膜太陽電池パネルの製造方法を示した流れ図である。
【図４】本発明の実施例による携帯用薄膜太陽電池パネルの製造プロセスによる例を示した図である。
【図５】本発明の実施例による携帯用薄膜太陽電池パネルの製造プロセスによる例を示した図である。
【図６】本発明の実施例による携帯用薄膜太陽電池パネルの製造プロセスによる例を示した図である。
【図７】本発明の実施例による携帯用薄膜太陽電池パネルの製造プロセスによる例を示した図である。
【図８】本発明の実施例による携帯用薄膜太陽電池パネルの製造プロセスによる例を示した図である。
【図９】本発明の実施例による携帯用薄膜太陽電池パネルの製造プロセスによる例を示した図である。
【発明を実施するための形態】
【００１６】
本発明で使われる技術的用語は、ただの特定の実施例を説明するために使われたものであって、本発明を限定する意図ではないことを注意すべきである。また、本発明で使われる技術的用語は、本発明で特に異なる意味と定義されない限り、本発明の属する技術分野で通常の知識を有するものによって、一般的に理解される意味と解釈するべきであり、過度に包括的な意味と解釈したり、過度に縮小した意味と解釈したりするべきではない。
【００１７】
また、本発明で使われる技術的用語が本発明の事象を正確に表現できない間違った技術的用語である時には、当業者が正しく理解できる技術的用語と代わって理解されるべきである。また、本発明で使われる一般的用語は、辞書に定義されるところによって、または、前後の文脈によって解釈するべきであり、過度に縮小した意味と解釈するべきではない。
【００１８】
また、本発明で使われる単数の表現は、文脈上、明らかに異なる意味ではない限り、複数の表現を含む。本発明で、「構成される」、または、「含む」などの用語は、発明に記載の様々な構成要素等、または、色々な段階を必ず全部含むことと解釈されるべきではなく、そのうちの一部の構成要素等、または、一部の段階等は含まれないこともあり、または、追加的な構成要素、または、段階等をさらに含むことができると解釈するべきである。
【００１９】
また、本発明で使われる第１、第２などのように序数を含む用語は、構成要素等を説明するに使われることができるが、構成要素等は、用語等によって限定されてはいけない。用語等は、一つの構成要素を異なる構成要素から区別する目的のみで使われる。例えば、本発明の権利範囲を外れないで第１構成要素は、第２構成要素と命名されることがあり、類似に第２構成要素も、第１構成要素と命名されることがある。
【００２０】
以下、添付の図面を参照して本発明による好ましい実施例を詳しく説明し、図面符号に関係なく同一であるか、類似の構成要素は、同一の参照番号を付与し、これにおける重複する説明は省略する。
【００２１】
また、本発明を説明する上で、関連の公知技術における具体的説明が本発明の要旨を濁らすと判断する場合、その詳しい説明を省略する。また、添付の図面は、本発明の事象を容易く理解できるようにするためだけであって、添付の図面によって本発明の事象が制限されることと解釈されてはいけないというべきであることを注意すべきである。
【００２２】
図１ないし図２に図示のように、本発明の実施例による携帯用薄膜太陽電池パネル１０は、第１防水層１００と、太陽電池モジュール２００と、導電性メッシュの形態の電極３００と、第２防水層４００と、導電糸５００と、第３防水層６００およびミシン糸７００とで構成される。
【００２３】
図１ないし図２に図示の前記携帯用薄膜太陽電池パネル１０の構成要素全てが必須の構成要素であることではなく、図１ないし図２に図示の構成要素より多くの構成要素によって前記携帯用薄膜太陽電池パネル１０が具現されることができて、それより少ない構成要素によっても前記携帯用薄膜太陽電池パネル１０が具現されることもできる。
【００２４】
前記第１防水層（または、第１ラミネート層）１００は、フレキシブルに形成し、ＰＥＴフィルム、ＰＥフィルム、防水生地などで構成する。
【００２５】
また、前記第１防水層１００は、外部の水や異物などが前記第１防水層１００の上部に形成された構成要素等に浸透できないように構成する。
【００２６】
前記太陽電池モジュール（または、太陽電池板）２００は、太陽電池セル２１０と、電極２２０などとで構成する。
【００２７】
また、前記太陽電池モジュール２００は、透過型携帯用フレキシブル薄膜の形態で構成することができる。
即ち、前記太陽電池モジュール２００は、複数のＣＩＧＳ（Ｃｏｐｐｅｒ（銅）  ｉｎｄｉｕｍ（インジウム）  ｇａｌｌｉｕｍ（ガリウム）  ｓｅｌｅｎｉｄｅ（セレニド）)太陽電池セルがグリッドの形態で構成されて、柔軟性（または、フレキシブル（ｆｌｅｘｉｂｌｅ）)を有する薄膜の形態で構成することができて、これを通じて、前記太陽電池モジュール２００は、曲面からなる様々な対象に適用されて、前記複数の太陽電池セルを介して太陽光を通じた発電電力を生成することができる。
【００２８】
また、前記太陽電池モジュール２００は、適用対象がビニールハウスやサンルーフ、または、窓戸型製品などのように光の透過（または、透光）が要求される対象である場合、光を透過できるように構成することができる。
【００２９】
このために、前記太陽電池モジュール２００は、レーザー（ｌａｓｅｒ）加工やパンチング（ｐｕｎｃｈｉｎｇ）のような器具的加工を介して予め設定されたパターンを有する複数の開口部が形成されることができて、前記開口部は、前記太陽電池モジュール２００に照射される太陽光を透過させて、前記適用対象の内部へ光が到達されるにすることができる。
【００３０】
また、前記複数の開口部は、ユーザーによって予め設定された開口率を有するように前記太陽電池モジュール１００に形成されることができる。
【００３１】
前記電極２２０は、複数で形成され、各々陽極（＋）と陰極（−）とで構成する。この時、前記太陽電池モジュール２００が長さ方向に一列に配置される場合、前記電極２２０は、前記長さ方向に対し、垂直方向に配置されることができる。
【００３２】
また、前記太陽電池モジュール２００は、ワイヤーメッシュの形態などで形成される電線（不図示）をさらに含むことができる。ここで、前記電線の材料としては、銅（ｃｏｐｐｅｒ）、ステンレススチール（ｓｔａｉｎｌｅｓｓ  ｓｔｅｅｌ）などを含むことができる。
【００３３】
また、前記電線は、前記太陽電池セル２１０との間の接続、前記太陽電池セル２１０と電極２２０との間の接続などを提供し、陽極が接続される陽極電線、陰極が接続される陰極電線などを含むことができる。
【００３４】
また、前記第１防水層１００の上部（または、一面）に複数の太陽電池モジュール２００を配置（または、形成／構成）する。
【００３５】
前記導電性メッシュの形態の電極３００は、前記長さ方向に配置された複数の太陽電池モジュール２００に各々構成される電極の極性別に同一の極性を有する複数の電極の上部に配置（または、形成／構成）する。
即ち、前記導電性メッシュの形態の電極３００は、複数で構成されて、前記複数の太陽電池モジュール２００に各々構成される（＋）電極と（−）電極に対応する複数の電極と各々接触するように、該複数の電極の上部に形成する。
【００３６】
このように、長い一つの導電性メッシュの形態の電極３００を介して前記複数の太陽電池モジュール２００の一側に構成された同一極性を有する複数の電極を互いに電気的に接続することができる。
【００３７】
前記第２防水層（または、第２ラミネート層）４００は、フレキシブルに形成し、ＰＥＴフィルム、ＰＥフィルム、防水生地などで構成する。
また、前記第２防水層４００は、外部の水、異物などが前記第２防水層４００の下部に形成された構成要素等に浸透できないように構成する。
また、前記第２防水層４００は、前記導電性メッシュの形態の電極３００と前記複数の太陽電池モジュール２００の上部に配置（または、形成／構成）する。
【００３８】
前記導電糸５００は、金属、または、半導体が入っていて導電性のある糸を示し、導電性のあるカーボンブラックや特殊な金属化合物などを繊維高分子化合物に混合して作ることができる。
【００３９】
前記導電性メッシュの形態の電極３００と前記複数の太陽電池モジュール２００とに各々形成された同一の極性の複数の電極が電気的に接続されるように、前記導電糸５００を用いて縫製作業を介して接合構成する。
即ち、前記図２に図示のように、前記第１防水層１００と前記第２防水層４００との間に積層された前記複数の太陽電池モジュール２００に各々形成された同一の極性の複数の電極と前記導電性メッシュの形態の電極３００とを前記導電糸５００を用いて縫製作業を介して接合する。
【００４０】
前記第３防水層（または、第３ラミネート層）６００は、フレキシブルに形成し、ＰＥＴフィルム、ＰＥフィルム、防水生地などで構成する。
【００４１】
また、前記第３防水層６００は、前記縫製作業を介して前記第１防水層１００の外面と前記第２防水層４００の外面に露出された前記導電糸５００における外部露出を遮断するために、前記第１防水層１００の一部と前記第２防水層４００の一部と前記導電糸５００（または、前記第１防水層１００と、前記太陽電池モジュール２００と、前記導電性メッシュの形態の電極３００および前記第２防水層４００とを貫通して形成された前記導電糸５００）とを包むように配置（または、形成／構成）する。
【００４２】
即ち、前記図２に図示のように、前記第２防水層４００の上部の一部、貫通形成された前記導電糸５００の上部および下部、前記第１防水層１００の下部の一部、前記第１防水層１００と前記第２防水層４００の側面の一部などを包むように（または、接触するように）Ｕの字の形態（または、コの字の形態）で前記第３防水層６００を配置する。
【００４３】
前記ミシン糸（または、普通の糸）７００は、非導電性糸を示す。
前記第１防水層１００の側面と前記第２防水層４００の側面に接するように（または、前記電極２２０および前記導電性メッシュの形態の電極３００の側面の外郭に）、前記ミシン糸７００を用いて縫製作業を介して接合構成する。
即ち、図２に図示のように、前記電極２２０および前記導電性メッシュの形態の電極３００の側面の外郭に、前記第３防水層６００、前記第１防水層１００および前記第２防水層４００を貫通するように、前記ミシン糸７００を用いて、縫製作業を介して接合構成する。
【００４４】
この時、前記図２に図示のように、前記第１防水層１００の下部と前記第３防水層６００の下部とが接触する領域（または、前記第１防水層１００と前記第３防水層６００とが対向して接触する領域）および前記第２防水層４００の上部と前記第３防水層６００の下部とが接触する領域（または、前記第２防水層４００と前記第３防水層６００が対向して接触する領域）は、接着剤、粘着剤などを用いて、接着（または、粘着）して、前記導電糸５００が外部に露出されないように構成することもできる。
【００４５】
本発明の実施例は、前記縫製作業を介して前記第１防水層１００の外面と前記第２防水層４００の外面に露出された前記導電糸５００における外部露出を遮断するために、前記第３防水層６００をかぶせて、前記ミシン糸７００を用いて裁縫するように構成することを説明しているが、これに限定されることはなく、前記縫製作業を介して前記第１防水層１００の外面と前記第２防水層４００の外面に露出された前記導電糸５００において、外部に露出された導電糸５００を包むように絶縁層（または、遮蔽膜）（不図示）（例えば、絶縁テープ、絶縁シリコングリースなどを含む）を形成することもできる。
【００４６】
このように、前記導電糸５００を介して前記第１防水層１００と前記第２防水層４００との間に積層された前記薄膜太陽電池モジュール２００（または、前記薄膜太陽電池モジュール２００に含まれた電極２２０）と前記導電性メッシュの形態の電極３００とが電気的に接続され、その形を保持して固定されることができる。
【００４７】
このように、長さ方向に接続された複数の太陽電池セルの一側に各々形成された複数の電極の上に導電性メッシュの形態の電極を形成して、前記複数の太陽電池と前記導電性メッシュの形態の電極との上部および下部に防水生地を各々形成して、前記複数の防水生地と前記太陽電池セルとの一側に形成された電極と前記導電性メッシュの形態の電極とを貫通するように導電糸を用いて縫製作業を介して接合構成し、前記導電糸が形成された上部、下部および側面に追加で防水生地を形成した後、ミシン糸を用いて接合構成することができる。
【００４８】
以下は、本発明による携帯用薄膜太陽電池パネルの製造方法を図１ないし図９を参考して詳しく説明する。
図３は、本発明の実施例による携帯用薄膜太陽電池パネルの製造方法を示した流れ図である。
【００４９】
まず、第１防水層１００の上部（または、一面）に複数の太陽電池モジュール２００を配置（または、形成／構成）する。
この時、図４に図示のように、前記複数の太陽電池モジュール２００が長さ方向に一列に配置される場合、前記複数の太陽電池モジュール２００に各々形成される複数の電極は、前記長さ方向に対し、垂直で形成された状態であることがある（Ｓ３１０）。
【００５０】
この後、前記複数の太陽電池モジュール２００の両側に各々形成された同一の極性の電極２２０の上部に導電性メッシュの形態の電極３００を各々配置（または、形成／構成）する。
即ち、前記複数の太陽電池モジュール２００の一側に（＋）極性の電極が形成され、他の一側に（−）極性の電極が形成された状態である場合、（＋）極性の複数の電極の上に一つの導電性メッシュの形態の電極３００を配置し、（−）極性の複数の電極の上に他の一つの導電性メッシュの形態の電極３００を配置することができる。
【００５１】
一例として、図５に図示のように、前記複数の太陽電池モジュール２００の一側に形成された同一の極性（例えば、（＋）極性）の複数の第１電極の上部に第１導電性メッシュの形態の電極３００を配置し、前記複数の太陽電池モジュール２００の他の一側に形成された同一の極性（例えば、（−）極性）の複数の第２電極の上部に第２導電性メッシュの形態の電極３００を配置する（Ｓ３２０）。
【００５２】
この後、前記導電性メッシュの形態の電極３００と前記複数の太陽電池モジュール２００の上部に第２防水層４００を配置（または、形成／構成）する。
一例として、図６に図示のように、前記導電性メッシュの形態の電極３００と前記複数の太陽電池モジュール２００の上部に第２防水層４００を配置する（Ｓ３３０）。
【００５３】
この後、前記導電性メッシュの形態の電極３００と前記複数の太陽電池モジュール２００とに各々形成された同一の極性の複数の電極が電気的に接続されるように、導電糸５００を用いて縫製作業を介して接合構成する。
即ち、図７に図示のように、前記第１防水層１００と前記第２防水層４００との間に積層された前記複数の太陽電池モジュール２００に各々形成された同一の極性の複数の電極と前記導電性メッシュの形態の電極３００を、前記導電糸５００を用いて縫製作業を介して接合構成する（Ｓ３４０）。
【００５４】
この後、前記第１防水層１００の一部と前記第２防水層４００の一部と前記導電糸５００（または、前記第１防水層１００と、前記太陽電池モジュール２００と、前記導電性メッシュの形態の電極３００および前記第２防水層４００とを貫通して形成された前記導電糸５００）とを包むように第３防水層６００を配置（または、形成／構成）する。
即ち、図８に図示のように、前記第２防水層４００の上部の一部、貫通形成された前記導電糸５００の上部および下部、前記第１防水層１００の下部の一部、前記第１防水層１００と前記第２防水層４００の側面の一部などを包むように（または、接触するように）Ｕの字の形態（または、コの字の形態）で前記第３防水層６００を配置する（Ｓ３５０）。
【００５５】
この後、前記第１防水層１００の側面と前記第２防水層４００の側面に接するように（または、前記電極２２０および前記導電性メッシュの形態の電極３００の側面の外郭に）、ミシン糸（または、普通の糸）７００を用いて縫製作業を介して接合構成する。
即ち、図９に図示のように、前記電極２２０および前記導電性メッシュの形態の電極３００の側面の外郭に、前記第３防水層６００、前記第１防水層１００および前記第２防水層４００を貫通するように、前記ミシン糸７００を用いて縫製作業を介して接合構成する。
【００５６】
この時、前記図９に図示のように、前記第１防水層１００の下部と前記第３防水層６００の下部とが接触する領域（または、前記第１防水層１００と前記第３防水層６００とが対向して接触する領域）７２０および前記第２防水層４００の上部と前記第３防水層６００の下部とが接触する領域（または、前記第２防水層４００と前記第３防水層６００とが対向して接触する領域）７１０は、接着剤などを用いて接着して、前記導電糸５００が外部に露出されないように構成することもできる（Ｓ３６０）。
【００５７】
本発明の実施例は、先に説明したように、長さ方向に接続された複数の太陽電池セルの一側に各々形成された複数の電極の上に導電性メッシュの形態の電極を形成して、前記複数の太陽電池と前記導電性メッシュの形態の電極との上部および下部に防水生地を各々形成して、前記複数の防水生地と前記太陽電池セルとの一側に形成された電極と前記導電性メッシュの形態の電極とを貫通するように導電糸を用いて縫製作業を介して接合構成し、前記導電糸が形成された上部、下部および側面に追加で防水生地を形成した後、ミシン糸を用いて接合構成して、複数の太陽電池との間を接続する接続端子、または、太陽電池の一側に形成された電極の途切れの発生を防止し、電極の安定的な固定ができるようにし、導電性メッシュの形態の電極の利用による曲げ強さを高めることができて、追加で側面に防水生地を重ねて当てて返し縫いをすることによって、側面における安定性を高めることができる。
【００５８】
前述の内容は、本発明が属する技術分野で通常の知識を有する者であるならば、本発明の本質的な特性から外れない範囲で修正および変形が可能なはずである。従って、本発明に開示された実施例らは、本発明の技術事象を限定するためのものではなく、説明するためのものであり、このような実施例によって本発明の技術事象の範囲が限定されることはない。本発明の保護範囲は、次の特許請求の範囲によって解釈されるべきであって、それと同等な範囲内にある全ての技術事象は、本発明の権利範囲に含まれると解釈されるべきである。
【産業上の利用可能性】
【００５９】
本発明は、長さ方向に接続された複数の太陽電池セルの一側に各々形成された複数の電極の上に導電性メッシュの形態の電極を形成して、前記複数の太陽電池と前記導電性メッシュの形態の電極との上部および下部に防水生地を各々形成して、前記複数の防水生地と前記太陽電池セルとの一側に形成された電極と前記導電性メッシュの形態の電極とを貫通するように導電糸を用いて縫製作業を介して接合構成し、前記導電糸が形成された上部、下部および側面に追加で防水生地を形成した後、ミシン糸を用いて接合構成することによって、複数の太陽電池との間を接続する接続端子、または、太陽電池の一側に形成された電極の途切れの発生を防止し、電極の安定的な固定ができるようにし、導電性メッシュの形態の電極の利用による曲げ強さを高めることができて、追加で側面に防水生地を重ねて当てて返し縫いをすることによって、側面における安定性を高めることができるものであり、軍需分野、電子産業、バイオ産業、一般機械産業、農業分野、畜産業、水産業、一般培養産業、乾燥産業、自動車産業、一般家庭用暖房分野、商業用分野、医療産業分野などで広範囲で利用することができる。
【符号の説明】
【００６０】
１０：携帯用薄膜太陽電池パネル
１００：第１防水層
２００：太陽電池モジュール
２１０：太陽電池セル
２２０：電極
３００：導電性メッシュの形態の電極
４００：第２防水層
５００：導電糸
６００：第３防水層
７００：ミシン糸
【図１】
2019197883.tif 000003
【図２】
2019197883.tif 000004
【図３】
2019197883.tif 000005
【図４】
2019197883.tif 000006
【図５】
2019197883.tif 000007
【図６】
2019197883.tif 000008
【図７】
2019197883.tif 000009
【図８】
2019197883.tif 000010
【図９】
2019197883.tif 000011
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
複数の太陽電池モジュールが離隔配置されて柔軟性を有する防水タイプの携帯用薄膜太陽電池パネルにおいて、
長方形の形状を有するフレキシブル材質の第１防水層と；
前記第１防水層の上部に長さ方向に一列に離隔配置される複数の柔軟性を有する太陽電池モジュールと；
前記複数の太陽電池モジュールの両側に前記長さ方向と垂直で各々形成された電極のうち、同一の極性の電極を全て接続するように、同一極性の電極の上部に各々配置される双の導電性メッシュの形態の電極；および
前記導電性メッシュの形態の電極と前記複数の太陽電池モジュールとの上部に配置され、前記第１防水層に対応される大きさを有するフレキシブル材質の第２防水層とを含み、
前記第１防水層と第２防水層の間に配置される、前記導電性メッシュの形態の電極と前記複数の太陽電池モジュールとに各々形成された同一の極性の複数の電極は、前記第１防水層と第２防水層とその間の電極を貫通して縫製作業した導電糸を介して接合構成されて電気的に接続され、物理的に固定され、
前記第１防水層の一部と、前記第２防水層の一部および前記導電糸とを包むように配置するフレキシブル材質の第３防水層をさらに含む
ことを特徴とする携帯用薄膜太陽電池パネル。
【請求項２】
前記第１防水層と前記第２防水層とは、前記第１防水層の側面と前記第２防水層の側面とに接するように、ミシン糸を介して接合構成される
ことを特徴とする請求項１に記載の携帯用薄膜太陽電池パネル。
【請求項３】
前記導電糸が外部に露出されないように、前記第１防水層の上部と前記第３防水層の下部とが接触する領域および前記第２防水層の下部と前記第３防水層の下部とが接触する領域は、接着剤を用いて接着する
ことを特徴とする請求項２に記載の携帯用薄膜太陽電池パネル。
【請求項４】
複数の太陽電池モジュールが離隔配置されて柔軟性を有する防水タイプの携帯用薄膜太陽電池パネルの製造方法において、
長方形の形状を有するフレキシブル材質の第１防水層の上部に柔軟性を有する複数の太陽電池モジュールを前記第１防水層の長さ方向に一列に離隔配置する段階と；
前記複数の太陽電池モジュールの両側に前記長さ方向と垂直で各々形成された同一の極性の電極の上部に導電性メッシュの形態の電極を各々配置する段階と；
前記導電性メッシュの形態の電極と前記複数の太陽電池モジュールの上部に前記第１防水層に対応される大きさを有するフレキシブル材質の第２防水層を配置する段階；
前記導電性メッシュの形態の電極と前記複数の太陽電池モジュールとに各々形成された同一の極性の複数の電極が電気的に接続されるように、該電極とこれを包む第１防水層と第２防水層を、導電糸を用いて一度に縫製作業して接合することで電極間の電気的接続と物理的固定を同時に行う段階；および
前記第１防水層の一部と、前記第２防水層の一部および前記導電糸とを包むようにフレキシブル材質の第３防水層を配置する段階を含み、
前記導電性メッシュの形態の電極を各々配置する段階は、
前記複数の太陽電池モジュールの一側に形成された（＋）極性の複数の電極の上部に一つの導電性メッシュの形態の電極を配置するプロセス；および
前記複数の太陽電池モジュールの他の一側に形成された（−）極性の複数の電極の上部に他の一つの導電性メッシュの形態の電極を配置するプロセスを含む
携帯用薄膜太陽電池パネルの製造方法。
【請求項５】
前記第１防水層の側面と前記第２防水層の側面に接するように、ミシン糸を用いて縫製作業を介して接合構成する段階をさらに含む
ことを特徴とする請求項４に記載の携帯用薄膜太陽電池パネルの製造方法。